(57)【要約】      （修正有）【課題】上部電極、下部電極間の隙間を常に確実に確保して安定したスイッチオン動作を実現でき、しかも安価な長尺スイッチを提供する。【解決手段】長尺スイッチ１は、帯状の上部電極２及び下部電極３の電極面２ａを、下部電極２の両側辺に沿って絶縁印刷により付した一対の絶縁材４ａ、４ｂを介在させて隙間を有しつつ対向配置し、荷重の作用下で両電極面２ａ、を接触させてスイッチオン動作を行わせる構成としたものである。【選択図】図１
0003140068.tif 000002
【実用新案登録請求の範囲】
【請求項１】
帯状の上部電極及び下部電極の電極面を絶縁材を介して隙間を有しつつ対向配置し、荷重の作用下で上部電極、下部電極の両電極面を接触させてスイッチ動作を行わせる長尺スイッチであって、前記絶縁材は、上部電極、下部電極のいずれか又は双方に絶縁印刷により付されたものであることを特徴とする長尺スイッチ。
【請求項２】
帯状の上部電極及び下部電極の電極面を、下部電極の両側辺に沿って絶縁印刷により付した一対の絶縁材を介在させて隙間を有しつつ対向配置し、荷重の作用下で前記両電極面を接触させてスイッチオン動作を行わせるようにしたことを特徴とする長尺スイッチ。
【請求項３】
帯状の上部電極及び下部電極の電極面を、上部電極の両側辺に沿って絶縁印刷により付した一対の絶縁材を介在させて隙間を有しつつ対向配置し、荷重の作用下で前記両電極面を接触させてスイッチオン動作を行わせるようにしたことを特徴とする長尺スイッチ。
【請求項４】
帯状の上部電極及び下部電極の電極面を、上部電極の一方の側辺及び下部電極の他方の側辺に沿って各々絶縁印刷により付した各絶縁材を介在させて隙間を有しつつ対向配置し、荷重の作用下で前記両電極面を接触させてスイッチオン動作を行わせるようにしたことを特徴とする長尺スイッチ。
【請求項５】
帯状の上部電極及び下部電極の電極面を、前記上部電極又は下部電極の電極面にこれらの長さ方向と直交する方向で、かつ、適宜の間隔をもって付した絶縁印刷による複数の絶縁材を介在させて隙間を有しつつ対向配置し、荷重の作用下で前記両電極面を接触させてスイッチオン動作を行わせるようにしたことを特徴とする長尺スイッチ。
【考案の詳細な説明】
【技術分野】
【０００１】
本考案は、長尺スイッチに関し、詳しくは、常に安定したスイッチ動作を実現し得る長尺スイッチに関するものである。
【背景技術】
【０００２】
従来の長尺スイッチは、下部電極を包み込むように成型した合成樹脂材等からなる絶縁材上に上部電極を重合配置して下部電極、上部電極間に隙間を確保し、荷重により上部電極を撓ませて下部電極に接触させることでスイッチオン動作を実現するように構成している。
【０００３】
しかし、従来の場合、長尺スイッチの長さを大きくした場合、絶縁材の全長にわたっての厚さの管理が容易ではなく、絶縁材の収縮等による変形のため前記隙間を確保できなくなり、絶縁不良による誤動作が生じ易いという問題がある。
【０００４】
また、成型した絶縁材を使用することから、製造コスト増を招くという問題も包含している。
【０００５】
特許文献１には、関連技術として、長尺の下部電極板と、この下部電極板の上面中央部を除く部分を覆う長尺の絶縁材と、下部電極板と隙間を隔てつつ対向配置した長尺の上部電極板と、前記絶縁材、上部電極板の外周を覆う長尺の外被とを有する長尺スイッチが提案されている。
【特許文献１】特開２００１−０７６５８０号公報
【考案の開示】
【考案が解決しようとする課題】
【０００６】
本考案が解決しようとする問題点は、上部電極、下部電極間の隙間を常に確実に確保して安定したスイッチオン動作を実現でき、また、安価な長尺スイッチが存在しない点である。
【課題を解決するための手段】
【０００７】
本考案は、帯状の上部電極及び下部電極の電極面を絶縁材を介して隙間を有しつつ対向配置し、荷重の作用下で上部電極、下部電極の両電極面を接触させてスイッチ動作を行わせる長尺スイッチであって、前記絶縁材は、上部電極、下部電極のいずれか又は双方に絶縁印刷により付されたものであることを最も主要な特徴とする。
【考案の効果】
【０００８】
請求項１記載の考案によれば、帯状の上部電極及び下部電極の電極面を絶縁材を介して隙間を有しつつ対向配置し、荷重の作用下で上部電極、下部電極の両電極面を接触させてスイッチ動作を行わせる構成であり、前記絶縁材は、上部電極、下部電極のいずれか又は双方に絶縁印刷により付したものであるから、一対の絶縁材の厚さの管理が容易となり、上部電極、下部電極間の隙間を全長にわたって適正に維持でき、常に安定したスイッチ動作を実現することが可能であり、しかも、従来の成型した絶縁材を使用する場合に比べ製造コストの低廉化を図ることができる長尺スイッチを提供することができる。
【０００９】
請求項２記載の考案によれば、帯状の上部電極及び下部電極の電極面を、下部電極の両側辺に沿って絶縁印刷により付した一対の絶縁材を介在させて隙間を有しつつ対向配置し、荷重の作用下で前記両電極面を接触させてスイッチオン動作を行わせる構成としたものであるから、一対の絶縁材の厚さの管理が容易となり、上部電極、下部電極間の隙間を全長にわたって適正に維持でき、常に安定したスイッチ動作を実現することが可能であり、しかも、従来の成型した絶縁材を使用する場合に比べ製造コストの低廉化を図ることができる長尺スイッチを提供することができる。
【００１０】
請求項３記載の考案によれば、帯状の上部電極及び下部電極の電極面を、上部電極の両側辺に沿って絶縁印刷により付した一対の絶縁材を介在させて隙間を有しつつ対向配置し、荷重の作用下で前記両電極面を接触させてスイッチオン動作を行わせる構成としたものであるから、一対の絶縁材の厚さの管理が容易となり、上部電極、下部電極間の隙間を全長にわたって適正に維持でき、常に安定したスイッチ動作を実現することが可能であり、しかも、従来の成型した絶縁材を使用する場合に比べ製造コストの低廉化を図ることができる長尺スイッチを提供することができる。
【００１１】
請求項４記載の考案によれば、帯状の上部電極及び下部電極の電極面を、上部電極の一方の側辺及び下部電極の他方の側辺に沿って各々絶縁印刷により付した各絶縁材を介在させて隙間を有しつつ対向配置し、荷重の作用下で前記両電極面を接触させてスイッチオン動作を行わせる構成としたものであるから、一対の絶縁材の厚さの管理が容易となり、上部電極、下部電極間の隙間を全長にわたって適正に維持でき、常に安定したスイッチ動作を実現することが可能であり、しかも、従来の成型した絶縁材を使用する場合に比べ製造コストの低廉化を図ることができる長尺スイッチを提供することができる。
【００１２】
請求項５記載の考案によれば、帯状の上部電極及び下部電極の電極面を、前記上部電極又は下部電極の電極面にこれらの長さ方向と直交する方向で、かつ、適宜の間隔をもって付した絶縁印刷による複数の絶縁材を介在させて隙間を有しつつ対向配置し、荷重の作用下で前記両電極面を接触させてスイッチオン動作を行わせる構成としたものであるから、上述した場合と同様、複数の絶縁材の厚さの管理が容易となり、上部電極、下部電極間の隙間を全長にわたって適正に維持でき、常に安定したスイッチ動作を実現することが可能であり、しかも、従来の成型した絶縁材を使用する場合に比べ製造コストの低廉化を図ることができる長尺スイッチを提供することができる。
【考案を実施するための最良の形態】
【００１３】
本考案は、上部電極、下部電極間の隙間を常に確実に確保して安定したスイッチオン動作を実現でき、しかも安価な長尺スイッチを提供するという目的を有するものである。
【００１４】
本考案の長尺スイッチは、帯状の上部電極及び下部電極の電極面を、下部電極の両側辺に沿って絶縁印刷により付した一対の絶縁材を介在させて隙間を有しつつ対向配置し、荷重の作用下で前記両電極面を接触させてスイッチオン動作を行わせる構成により上記目的を実現した。
【実施例】
【００１５】
以下に、本考案の実施例に係る長尺スイッチについて図面を参照して詳細に説明する。
【００１６】
（実施例１）
図１、図２を参照して本実施例１に係る長尺スイッチ１について説明する。本実施例１に係る長尺スイッチ１は、帯状で長尺の上部電極２及び下部電極３の両電極面２ａ、３ａを対向させ、これら上部電極２、下部電極３の両側辺に沿って配置した細幅で長尺の一対の絶縁材４ａ、４ｂを介在させつつ接合し、上部電極２、下部電極３間にこれらの長さ方向に沿った絶縁のための隙間５を形成することにより構成している。なお、図１中、７はスイッチ信号を伝送する信号ケーブルである。
【００１７】
前記一対の絶縁材４ａ、４ｂは、図２に示すように、前記下部電極３の電極面３ａ側の両側辺に沿って印刷技術を用いて所望の均一厚さの絶縁印刷を施すことにより形成し、この一対の絶縁材４ａ、４ｂの各上面を上部電極２の両側辺に接着することで、本実施例１の長尺スイッチ１を構成している。
【００１８】
前記上部電極２、下部電極３としては、例えば、電極面２ａ、３ａ側をアルミ箔等の薄型導電材料とし、外面側をＰＥＴ（ポリエチレンテレフタレート）製の絶縁フィルム等からなる絶縁材料とした弾性フィルム状の形態、又は電極面２ａ、３ａ側をアルミ箔等の薄型導電材料とし、外面側を薄厚の絶縁合成樹脂板とした形態等を採用することができる。
【００１９】
本実施例１に係る長尺スイッチ１によれば、上述のように長尺の上部電極２、下部電極３の両電極面２ａ、３ａを、これらの両側辺に沿って配置した絶縁印刷からなる細幅で均一厚さ、かつ、長尺の一対の絶縁材４ａ、４ｂにより隙間５を有しつつ一体的に対向配置したものである。
【００２０】
したがって、従来の成型した絶縁材を使用する場合とは異なり、一対の絶縁材４ａ、４ｂの厚さの管理が容易となり、長尺スイッチ１の長さ寸法を大きくした場合でも一対の絶縁材４ａ、４ｂの厚さが全長にわたって変化することはほとんどなく、これにより、一対の絶縁材４ａ、４ｂによる隙間５は全長にわたって適正に維持され、常に安定したスイッチ動作を実現することができる。
【００２１】
また、前記一対の絶縁材４ａ、４ｂを絶縁印刷により形成しているので、従来の成型した絶縁材を使用する場合に比べ製造コストの低廉化を図ることができる。
【００２２】
（実施例２）
図３を参照して本考案の実施例２に係る長尺スイッチ１Ａについて説明する。
【００２３】
この長尺スイッチ１Ａは、実施例１に係る長尺スイッチ１の場合とは逆に、前記上部電極２の電極面２ａ側の両側辺に沿って印刷技術を用いて所望の均一厚さの絶縁印刷を施すことにより一対の絶縁材４ａ、４ｂを形成し、この一対の絶縁材４ａ、４ｂの各下面を下部電極３の両側辺に接着することで構成したことが特徴である。
【００２４】
この長尺スイッチ１Ａの他の構成は、実施例１の場合と同一であり、組み上がった状態では実施例１に係る長尺スイッチ１の場合と同一の外観を呈するものである。
【００２５】
本実施例２に係る長尺スイッチ１Ａによっても、実施例１の場合と同様、従来の成型した絶縁材を使用する場合とは異なり、一対の絶縁材４ａ、４ｂの厚さの管理が容易となり、長尺スイッチ１Ａの長さ寸法を大きくした場合でも一対の絶縁材４ａ、４ｂの厚さが全長にわたって変化することはほとんどなく、これにより、一対の絶縁材４ａ、４ｂによる隙間５は全長にわたって適正に維持され、常に安定したスイッチ動作を実現することができる。
【００２６】
また、前記一対の絶縁材４ａ、４ｂを絶縁印刷により形成しているので、従来の成型した絶縁材を使用する場合に比べ製造コストの低廉化を図ることができる。
【００２７】
（実施例３）
図４を参照して本考案の実施例３に係る長尺スイッチ１Ｂについて説明する。
この長尺スイッチ１Ｂは、前記上部電極２の電極面２ａ側の一方の側辺に沿って印刷技術を用いて所望の均一厚さの絶縁印刷を施すことにより一方の絶縁材４ａを形成し、また前記下部電極３の電極面３ａ側の他方の側辺に沿って印刷技術を用いて所望の均一厚さの絶縁印刷を施すことにより他方の絶縁材４ｂを形成して、これら絶縁材４ａ、４ｂを各々下部電極３、上部電極２の各側辺に接着することで構成したことが特徴である。
【００２８】
この長尺スイッチ１Ｂの他の構成は、実施例１の場合と同一であり、組み上がった状態では実施例１に係る長尺スイッチ１の場合と同一の外観を呈するものである。
【００２９】
本実施例３に係る長尺スイッチ１Ｂによっても、実施例１の場合と同様、従来の成型した絶縁材を使用する場合とは異なり、一対の絶縁材４ａ、４ｂの厚さの管理が容易となり、長尺スイッチ１Ｂの長さ寸法を大きくした場合でも一対の絶縁材４ａ、４ｂの厚さが全長にわたって変化することはほとんどなく、これにより、一対の絶縁材４ａ、４ｂによる隙間５は全長にわたって適正に維持され、常に安定したスイッチ動作を実現することができる。
【００３０】
また、前記一対の絶縁材４ａ、４ｂを絶縁印刷により形成しているので、従来の成型した絶縁材を使用する場合に比べ製造コストの低廉化を図ることができる。
【００３１】
（実施例４）
図５、図６を参照して本考案の実施例４に係る長尺スイッチ１Ｃについて説明する。
【００３２】
本実施例４に係る長尺スイッチ１Ｃは、図６に示すように、上部電極２及び下部電極３の電極面２ａ、３ａを、これら上部電極２、下部電極３の電極面２ａ、３ａのいずれかに既述した場合と同様な印刷技術を用いてこれらの長さ方向と直交する方向で、かつ、適宜の間隔をもって所望の均一厚さの絶縁印刷を施し、複数の絶縁材６を形成して、この複数の絶縁材６を上部電極２、下部電極３間に介在させて隙間５を有しつつ上部電極２、下部電極３を接合して、図５に示すような外観形態を呈する長尺スイッチ１Ｃとしたものである。
【００３３】
本実施例４に係る長尺スイッチ１Ｃによっても、従来の成型した絶縁材を使用する場合とは異なり、複数の絶縁材６の厚さの管理が容易となり、長尺スイッチ１Ｄの長さ寸法を大きくした場合でも複数の絶縁材６の厚さが全長にわたって変化することはほとんどなく、これにより、複数の絶縁材６による隙間５は全長にわたって適正に維持され、常に安定したスイッチ動作を実現することができる。
【００３４】
また、前記複数の絶縁材６を絶縁印刷により形成しているので、従来の成型した絶縁材を使用する場合に比べ製造コストの低廉化を図ることができる。
【産業上の利用可能性】
【００３５】
本考案の長尺スイッチは、安価で、しかも、上部電極、下部電極間の隙間を常に確実に確保して安定したスイッチオン動作が必要とされる各種分野の各部分に広範に応用可能である。
【図面の簡単な説明】
【００３６】
【図１】本考案の実施例１に係る長尺スイッチの斜視図である。
【図２】本実施例１に係る長尺スイッチの分解斜視図である。
【図３】本考案の実施例２に係る長尺スイッチの斜視図である。
【図４】本考案の実施例３に係る長尺スイッチの斜視図である。
【図５】本考案の実施例４に係る長尺スイッチの斜視図である。
【図６】本実施例４に係る長尺スイッチの分解斜視図である。
【符号の説明】
【００３７】
１    長尺スイッチ
１Ａ  長尺スイッチ
１Ｂ  長尺スイッチ
１Ｃ  長尺スイッチ
１Ｄ  長尺スイッチ
２    上部電極
２ａ  電極面
３    下部電極
３ａ  電極面
４ａ  絶縁材
４ｂ  絶縁材
５    隙間
６    絶縁材
７    信号ケーブル
【図１】
0003140068.tif 000003
【図２】
0003140068.tif 000004
【図３】
0003140068.tif 000005
【図４】
0003140068.tif 000006
【図５】
0003140068.tif 000007
【図６】
0003140068.tif 000008